(57)【要約】【課題】  反転ラッチの施錠状態を解除部材によって解除すると、その解錠状態が不可逆的に保持されて反転ラッチが自由になる反転ラッチ錠を提供する。【解決手段】  水平面に落とした投影形状が略平行四辺形のブロック体の、錠箱フロント板６外に突出する一方の鋭角隅部を挟む一対の側面を夫々ストライクと摺接する斜面とし、他方の隅部を、水平面に落とした投影形状が山形で、その頂角が鈍角になるように成形したラッチヘッド１と、ラッチヘッド１の上面及び／又は下面に形成され、上記一方の鋭角隅部の一対の側面の内、施錠時ストライク孔の開口端縁と衝接する斜面と平行な突条９と、内端を錠箱の側板内面に回動可能に支承され、上記突条と平行な外端部が突条に近接する方向に付勢された制御レバー１５とを有し、解錠時、制御レバー１５の外端部をラッチヘッドの突条９に乗り上がらせる。【選択図】  図８
2008050864.tif 000002
【特許請求の範囲】
【請求項１】
水平面に落とした投影形状が略平行四辺形のブロック体の、錠箱フロント板外に突出する一方の鋭角隅部を挟む一対の側面を夫々ストライクと摺接する斜面とし、他方の隅部を、水平面に落とした投影形状が山形で、その頂角が鈍角になるように成形したラッチヘッドと、錠箱のフロント板内側に配設され、ラッチヘッドをフロント板に垂直な前後方向に移動可能に案内すると共に、上記平行四辺形の中心の回りを回動可能に支持するラッチヘッド収納洞と、ラッチヘッドの上面及び／又は下面に形成され、上記一方の鋭角隅部の一対の側面の内、施錠時ストライク孔の開口端縁と衝接する斜面と平行な突条と、内端を錠箱の側板内面に回動可能に支承され、上記突条と平行な外端部が突条に近接する方向に付勢された制御レバーと、扉内外面に設けられた外部操作部材の動きを制御レバー外端部に伝達し、これを突条から離間する方向に駆動する伝達機構と、上記ラッチヘッド収納洞内において前後方向に移動可能に案内され、錠箱フロント板に平行な前端をラッチヘッドの他方の隅部に弾接する方向に付勢されたラッチ受けとを有してなり、外部操作部材による解錠操作時、制御レバーの前端部を突条から離間する方向に動かし、ラッチヘッドの回転後外部操作部材から手を離しても、制御レバーの外端部をラッチヘッドの突条に乗り上げさせることによりラッチヘッドの自由状態を保つようにしたことを特徴とする反転ラッチ錠。
【発明の詳細な説明】
【技術分野】
【０００１】
この発明は、反転ラッチ錠に係り、特に、反転ラッチの施錠状態を解除部材によって解除すると、その解錠状態が不可逆的に保持されて反転ラッチが自由になり、以降反転ラッチとストライクとの係合によって自動的に施錠されるようにし、以て施解錠機構の設計の自由度を高めるとともに、構造を簡単にし得る反転ラッチ錠に関する。
【背景技術】
【０００２】
反転ラッチ錠は、後記特許文献１及び２に記載されているように、扉の開閉に伴う反転ラッチとストライクとの係合により、反転ラッチを回転させると共に、その斜面とストライク孔との係合によって生じる楔作用により、扉の動きを駆動力として反転ラッチを錠箱内に引込ませる。
【０００３】
そのため、デッドボルトやラッチボルトを錠箱内に引込ませるためハンドルやノブを操作する必要がなく、また、回転を利用して反転ラッチの斜面と衝止面との変換を行うので作動力が小さくて済む、等の利点が有る。
【特許文献１】実用新案登録第２５１３７０３号公報
【特許文献２】特開平０１−２１０５８３号公報
【発明の開示】
【発明が解決しようとする課題】
【０００４】
上記特許文献に例示した反転ラッチ錠に限らず、通常の反転ラッチ錠は、反転ラッチを施錠状態に保つロック機構をハンドル操作によって解除して反転ラッチを自由にした後、ハンドルをその侭施錠方向或いは解錠方向に押し引きする。
【０００５】
それは、ハンドル操作によって反転ラッチの自由な状態、換言すれば反転ラッチに外力が作用しない状態を保ち、反転ラッチとストライクとの相互作用を保証するためである。
【０００６】
そのため、従来の反転ラッチ錠は、例えば扉のハンドル装置、すなわち、扉の自由側端縁部に装着された縦長のハンドルを押し引きする動作により解錠を行い、解錠操作後も同方向にハンドルを押し引きすることにより扉を開閉するハンドル装置、と組合わせ、ハンドルを押し引きする操作中は反転ラッチを自由にする必要がある。
【０００７】
換言すれば、反転ラッチ錠における反転ラッチを、通常構造が複雑である扉のハンドル装置に連動させる必要があり、そのため反転ラッチの適用範囲が狭められると共に、反転ラッチ錠の構造も複雑になる、等未だ改良の余地がある。
【０００８】
そこで、この発明は、反転ラッチの施錠状態を解除部材によって解除すると、その解錠状態が不可逆的に保持されて反転ラッチが自由になり、以降反転ラッチとストライクとの係合によって自動的に施錠されるようにした反転ラッチ錠を提供することを目的としている。
【課題を解決するための手段】
【０００９】
上記の目的を達成するため、請求項１に記載の発明は、水平面に落とした投影形状が略平行四辺形のブロック体の、錠箱フロント板外に突出する一方の鋭角隅部を挟む一対の側面を夫々ストライクと摺接する斜面とし、他方の隅部を、水平面に落とした投影形状が山形で、その頂角が鈍角になるように成形したラッチヘッドと、錠箱のフロント板内側に配設され、ラッチヘッドをフロント板に垂直な前後方向に移動可能に案内すると共に、上記平行四辺形の中心の回りを回動可能に支持するラッチヘッド収納洞と、ラッチヘッドの上面及び／又は下面に形成され、上記一方の鋭角隅部の一対の側面の内、施錠時ストライク孔の開口端縁と衝接する斜面と平行な突条と、内端を錠箱の側板内面に回動可能に支承され、上記突条と平行な外端部が突条に近接する方向に付勢された制御レバーと、扉内外面に設けられた外部操作部材の動きを制御レバー外端部に伝達し、これを突条から離間する方向に駆動する伝達機構と、上記ラッチヘッド収納洞内において前後方向に移動可能に案内され、錠箱フロント板に平行な前端をラッチヘッドの他方の隅部に弾接する方向に付勢されたラッチ受けとを有してなり、外部操作部材による解錠操作時、制御レバーの前端部を突条から離間する方向に動かし、ラッチヘッドの回転後外部操作部材から手を離しても、制御レバーの外端部をラッチヘッドの突条に乗り上げさせることによりラッチヘッドの自由状態を保つようにしたことを特徴とする。
【発明の効果】
【００１０】
上記のように構成されたこの発明による反転ラッチ錠は、扉に装着されたノブやハンドル、あるいは解錠釦などの外部操作部材により解錠操作をすると、制御レバーの前端部がその付勢力に抗してラッチヘッドの突条から離間する。
【００１１】
すると、先端面にフロント板と平行な平面部を形成したラッチ受けがラッチヘッドを前方に押動し、その他方の隅部の山形の斜面と面接触をすることにより安定になろうとする。
【００１２】
そのため、ラッチヘッドは、その施錠角度位置から少し解錠方向に回動した角度位置でラッチ受けにより準安定的に固定され、次いで、外部操作部材から手を離すことにより、制御レバーの先端部がラッチヘッドの突条に乗り上がる。
【００１３】
この状態ではラッチヘッドが自由になるので、以降扉の開閉に伴うラッチヘッドの一方の隅部の斜面とストライクとの係合により、ラッチヘッドは所定の動きをし、反転ラッチ錠の施解錠操作を行わせることができる、という所期の効果を奏する。
【発明を実施するための最良の形態】
【００１４】
ラッチヘッドと制御レバーとの係合を、ラッチヘッドの上面及び／又は下面に形成された突条を介して行う、という発想の転換により、外部操作部材から手を離しても制御レバーが突条に乗り上がるだけという現象を利用し、ラッチヘッドをハンドルなどの外部操作から独立して自由にすることができた。
【実施例１】
【００１５】
以下、この発明の一実施例を図面を参照して説明する。
図１及び図２において符号１はラッチヘッドを示し、このラッチヘッド１は、水平面に落とした投影形状が略平行四辺形（図２参照）のブロック体である。
【００１６】
図示の実施例におけるラッチヘッド１は、図４に示すような例えばジュラコンなどの合成樹脂製で、水平面への投影形状が略平行四辺形のブロック体２に、図１、図２及び図５に示すような金属板製のライニング（カバー）３を被せ、図３に示すように、結合ピン４によりこれらを一体的に結合したものである。
【００１７】
上記ブロック体２は、図４に示すように、また、上記したように、水平面への投影形状が略平行四辺形のブロック体で、錠箱５のフロント板６（図１及び図２参照）の開口から外方に突出する一方の鋭角隅部（図４で左方の隅部）を挟む一対の側面、すなわち、図４における第１側面７及び第２側面８を夫々ストライクと摺接する斜面としている。
【００１８】
図示の実施例では、後述するように、第１側面７が施錠時ストライクの開口端縁と衝接する。
【００１９】
また、図１及び図４に示すように、ブロック体２の他方の鋭角隅部の上下方向における中央部は、水平面による断面が山形で、その頂角が鈍角になるように切り欠かれている。
【００２０】
更にまた、図１及び図３に示すように、ライニング３の内端部が上記第１側面７と平行な位置関係で上方及び下方に折り曲げられ、この折り曲げ部が突条９を形成している。
【００２１】
上記のように構成されたラッチヘッド１は、図１及び図２に示すように、ラッチヘッド収納洞１１に収納され、フロント板６に垂直な前後方向（図１及び図２で左右方向）に移動可能に、かつ、ラッチヘッドの平行四辺形の中心軸（平行四辺形の対角線の交点を鉛直に貫通する軸）の回りを回動可能に案内されている。
【００２２】
具体的には、このラッチヘッド収納洞１１は、フロント板６と、錠箱５の側板と、この側板に対する投影形状がコ字形のばね受け１２によって区画された直方体の内側の空間である。
【００２３】
また、上記ばね受け１２とラッチヘッド１との間には、前後方向に移動可能に案内されると共に、ラッチばね１３（図１参照）の弾力により前方に付勢されたラッチ受け１４が配設されている。
【００２４】
そして、前端面をフロント板に平行に成形したラッチ受け１４は、前記ラッチヘッドの後端の切欠に入り込むようにして、かつ、ラッチヘッド１を前方に付勢する態様で、ラッチヘッド１と係合している。
【００２５】
上記した構成により、ラッチヘッド１の一方の鋭角隅部が、ラッチばね１３の弾力を受けてフロント板６に開口した付番しないラッチ開口から外方に突出するが、上記突条９がラッチ開口の開口端縁裏面に係止され、図示の突出位置を保つ。
【００２６】
また、図１及び図２に示す施錠状態においては、ラッチヘッド１の前記第１側面７が、フロント板６に垂直になる関係位置で、図示しないストライク孔の開口端縁に衝接している。
【００２７】
そして、このラッチヘッド１の角度位置は、その上面及び／又は下面に形成された前記突条９と次に述べる制御レバーの外端部との線接触状の係合により安定に保たれる。
【００２８】
図示の実施例における制御レバー１５は、図６及び図７に示すように、錠箱側板への投影形状が略Ｔ字形のレバーで、その外端部は断面が細長いコ字形に折り曲げられ、その下面は、図７に示すように平行な端縁を形成している。
【００２９】
また、図示の実施例では、図７に示す制御レバー１５は、図１に示すように上下対称に形成された他の制御レバー１５と対になって、かつ、ばね受け１２の上、下面に形成されたスリットを通って、上記ラッチヘッドの突条９に係合可能に臨んでいる。
【００３０】
そして、各制御レバー１５は、Ｔ字の横棒の中央に設けられた制御レバー軸１６の回りを回動可能に支承されると共に、Ｔ字の縦棒の下端に開口した長穴と、他のＴ字脚の下端に植設された連結ピン１７との係合を介して相互に連結している。
【００３１】
更にまた、一方の制御レバー軸１６に巻装された捩りコイルばねとしての制御レバーばね１８の弾力により、制御レバー１５、１５の前端部はラッチヘッド１を上下から挟む態様でこれに臨んでいる。
【００３２】
そして、図８に示す施錠状態では、制御レバー１５の図６でハッチングを施した部分が突条９と線接触をし、ラッチヘッド１が回動しないように固定している。
【００３３】
このとき、ラッチヘッド１の第１側面にかかる反力は、突条９と制御レバーの前端部との係合を介してばね受け１２に担持される。
【００３４】
更に、図示の実施例では、この反転ラッチ錠の施解錠のためハンドル装置を用いるのではなく、図９に示すような解錠釦１９を用いて解錠し、解錠後はこの解錠釦から手を離し、例えばハンドルやノブを用い、或いは直接扉面を押すことにより扉を開くようにしている。
【００３５】
そのため、上記解錠釦１９は、扉面１８に装着された釦座２１と、この釦座２１に水平軸を介して回動可能に支承された板状の押釦２２とを有し、この押釦２２の裏面側に植設された作動レバー２３の先端部を、錠箱の側板に開口した操作窓２４（図１参照）を通して、錠箱内の伝達部材２５に係合可能に臨ませている。
【００３６】
上記伝達部材２５は、図示しない案内機構により、錠箱１内で上下方向に移動可能に案内されており、上記作動レバー２３の先端の移動方向に応じて何れかの伝達部材が移動し、その移動を制御レバー１５の回動に変換する。
【００３７】
上記のように構成されたこの発明の一実施例による反転ラッチ錠は、施錠状態においては、図８に示すように、ラッチヘッド１が制御レバー１５に係止される態様で錠箱に固定されていることは前記した通りである。
【００３８】
しかして、解錠のため扉面に装着された押釦２２を押動すると、押釦２２は図９に示すように傾き、その内面の作動レバー２３が図１において手前側の伝達部材２５を押上げ、その結果、一対の制御レバー１５、１５の前端部が拡開するようにしてラッチヘッド１の拘束を解く。
【００３９】
すると、ラッチばね１３の弾力によってラッチ受け１４が前進し、その前端面にラッチヘッドの他の隅部の山形の一方の斜面（図８で上方の斜面）に接合する結果、図１０に示すように、ラッチヘッドが上から見て少し反時計方向に回動し、その角度位置を準安定的に保つ。
【００４０】
そのため、ラッチヘッドの突条９と制御レバー１５との係合が解け、後者が前者に乗り上がる結果、少し摩擦は生じるがラッチヘッド１は自由状態になる。
【００４１】
以降、扉を開放方向に押動すると、ストライク孔の開口端縁に押されてラッチヘッドは更に反時計方向に回動し、他の反転ラッチ錠と同様に、図１１に示す角度位置に致ってラッチヘッドのの回動が止まり、以後ストライク孔との第１側面７との間に生じる楔作用によってラッチヘッド１は錠箱内に押込まれ、ラッチヘッドがストライクから外れるとラッチばね１３の弾力により前進して図１１に示す位置に復帰する。
【００４２】
以後のラッチ錠の作動は従来の反転ラッチ錠と変らないから、更に詳細な説明は省略する。
【図面の簡単な説明】
【００４３】
【図１】この発明の一実施例による反転ラッチ錠の一部断面側面図。
【図２】その水平断面図で、施錠状態を示す。
【図３】ラッチヘッドの平面図。
【図４】ラッチヘッドの水平断面図。
【図５】ライニングの平面図。
【図６】制御レバーの側面図。
【図７】その下面図。
【図８】図２と同様の反転ラッチ錠の水平断面図で、施錠状態を示す。
【図９】押釦の断面図。
【図１０】図８と同様の反転ラッチ錠の水平断面図で、解錠状態を示す。
【図１１】図８と同様の反転ラッチ錠の水平断面図で、他の解錠状態を示す。
【符号の説明】
【００４４】
１  ラッチヘッド
２  ブロック体
３  ライニング
４  結合ピン
５  錠箱
６  フロント板
７  第１側面
８  第２側面
９  突条
１１  ラッチヘッド収納洞
１２  ばね受け
１３  ラッチばね
１４  ラッチ受け
１５  制御レバー
１６  制御レバー軸
１７  連結ピン
１８  扉面
１９  解錠釦
２１  釦座
２２  押釦
２３  操作レバー
２４  操作窓
【図１】
2008050864.tif 000003
【図２】
2008050864.tif 000004
【図３】
2008050864.tif 000005
【図４】
2008050864.tif 000006
【図５】
2008050864.tif 000007
【図６】
2008050864.tif 000008
【図７】
2008050864.tif 000009
【図８】
2008050864.tif 000010
【図９】
2008050864.tif 000011
【図１０】
2008050864.tif 000012
【図１１】
2008050864.tif 000013